(57)【要約】【課題】ずれ難いペット用オムツを提供する。【解決手段】ペットに装着されるオムツ本体１０の内面に、該内面よりも滑り難い表面の滑り止めシート２０を着脱自在に備える。また、前記オムツ本体１０の内面は、表面が毛羽立った内側シート１１によって構成されており、前記滑り止めシート２０は、前記内側シート１１の表面に貼着可能な面ファスナーの雄側部材２２を裏面側に有し、該面ファスナーの雄側部材２２によって前記内側シート１１の表面に着脱自在に取付けられる。さらに、前記滑り止めシート２０は、紙、不織布または織布にエラストマーを含浸させたシート材２１を用いて構成されている。【選択図】図２
0003147359.tif 000002
【実用新案登録請求の範囲】
【請求項１】
ペットに装着されるオムツ本体の内面に、該内面よりも滑り難い表面の滑り止めシートを着脱自在に備えることを特徴とするペット用オムツ。
【請求項２】
前記オムツ本体の内面は、表面が毛羽立った内側シートによって構成されており、
前記滑り止めシートは、前記内側シートの表面に貼着可能な面ファスナーの雄側部材を裏面側に有し、該面ファスナーの雄側部材によって前記内側シートの表面に着脱自在に取付けられるものである
ことを特徴とする請求項１に記載のペット用オムツ。
【請求項３】
前記滑り止めシートは、紙、不織布または織布にエラストマーを含浸させたシート材を用いて構成されていることを特徴とする請求項１または請求項２に記載のペット用オムツ。
【考案の詳細な説明】
【技術分野】
【０００１】
本考案は、犬や猫等のペットに使用するペット用オムツに関するものである。
【背景技術】
【０００２】
近年においては、犬や猫等のペットにオムツを使用することが一般になされている。ここで、ペット用オムツとしては、略方形のシート状のオムツ本体をペットの尻の部分で折返してペットの原と背中を覆うように装着する折返しタイプのもの、オムツ本体がパンツ状に形成されており、ペットにはかせて装着するパンツタイプのもの等、種々のものがある。
【考案の開示】
【考案が解決しようとする課題】
【０００３】
犬や猫等のペットは、体毛があるため、装着したペット用オムツが滑ってずれ易い。特に、ダックスフンド等の胴の長いペットでは、ペット用オムツがずれ易い。
【０００４】
また、折返しタイプのペット用オムツは、尻の部分で折返した背中側の片と腹側の片とをペットの腰の脇の部分にて相互に一体化することでペットに装着するのであるが、ペットの腰回りに良好にフィットするように装着するには加減が難しく、緩めに装着すると、ますますずれ易くなってしまう。
【０００５】
一方、パンツタイプのペット用オムツでは、Ｓサイズ、Ｍサイズ、Ｌサイズといったように、ペットの大きさによって種々のサイズのものを選択できるようにしてあるが、サイズが大まかであり、ペットにとってきつ過ぎないように大き目のサイズのものを用いると、ずれ易くなってしまう。
【０００６】
本考案は、上記実状を鑑みてなされたものであり、ずれ難いペット用オムツの提供を課題とする。
【課題を解決するための手段】
【０００７】
上記課題を解決するために本考案の採った主要な手段は、
「ペットに装着されるオムツ本体のの内面に、該内面よりも滑り難い表面の滑り止めシートを着脱自在に備えることを特徴とするペット用オムツ」
である。
【０００８】
上記構成のペット用オムツでは、オムツ本体の内面に、表面が滑り難い滑り止めシートを備えるため、この滑り止めシートによって、ペットに装着したペット用オムツをずれ難くすることができる。
【０００９】
ところで、ペット用オムツの腰部分の内面等にゴム剤を塗っておくといったように、ペット用オムツに滑り止め手段を予め講じておくことも単に想定することはできる。しかしながら、このように滑り止め手段を予め講じておくことは、常に滑り止めがあることになり、ペット用オムツを装着したペットにとって、走り回る等の動作に際して滑り止め手段が無用に引っかかって動作の邪魔になったり、滑り止め手段によって怪訝な違和感を生じさせたりすることから、好ましくない。また、ペットにすり傷やデキモノがある場合には、滑り止め手段によって患部を擦ってしまうことから、好ましくない。
【００１０】
これに対して、上記構成のペット用オムツは、滑り止めシートが着脱自在であるため、不要であれば滑り止めシートを取外しておくことで、上述の問題を解消することができる。
【００１１】
上述した手段において、
「前記オムツ本体の内面は、表面が毛羽立った内側シートによって構成されており、
前記滑り止めシートは、前記内側シートの表面に貼着可能な面ファスナーの雄側部材を裏面側に有し、該面ファスナーの雄側部材によって前記内側シートの表面に着脱自在に取付けられるものである
ことを特徴とするペット用オムツ」
とするのが好適である。
【００１２】
滑り止めシートを、オムツ本体の内面において、常に定められた部位に着脱自在としてもよいが、ペットの体型やペット用オムツの大きさや装着具合によって、ずれ易い部位がまちまちである。
【００１３】
そこで、上記構成では、オムツ本体の内面を、表面が毛羽立った内側シートによって構成し、滑り止めシートの裏面に、表面が毛羽立った内側シートに貼着可能な面ファスナーの雄側部材を設けることで、オムツ本体の内面における所望の部位に、必要に応じて滑り止めシートを取付けることができることとしている。よって、上記構成のペット用オムツによれば、滑り易い部位、すなわち、ずれ易い部位に滑り止めシートを取付けることで、ペットに装着したペット用オムツのずれを的確に防止することができる。
【００１４】
上述した手段において、
「前記滑り止めシートは、紙、不織布または織布にエラストマーを含浸させたシート材を用いて構成されていることを特徴とするペット用オムツ」
とするのが好適である。
【００１５】
ここで、「エラストマー」とは、天然ゴムや合成ゴムといったゴム、ＥＶＡ樹脂やウレタン樹脂等の熱可塑性エラストマー等、ゴム弾性を有する高分子材料の広範を示すものである。
【００１６】
上記構成のペット用オムツでは、滑り止めシートが、紙、不織布または織布にエラストマーを含浸させたシート材を用いて構成されているため、紙、不織布または織布を心材とした十分な強度及び柔軟性を有する滑り止めシートとすることができる。また、心材となる素材に含浸させたエラストマーによって、滑り止めシートとしての十分な滑り止め効果を発揮させることができる。
【考案の効果】
【００１７】
以上のように、本考案によれば、ずれ難いペット用オムツを提供することができる。
【考案を実施するための最良の形態】
【００１８】
本考案に係るペット用オムツの実施形態としての一例を、以下、図面に基づいて詳細に説明する。
【００１９】
図１及び図２に示すように、ペット用オムツ１００は、ペットＰの下半身に装着されるオムツ本体１０を具備している。
【００２０】
ここで、オムツ本体１０は、ペットＰの背中部分を覆う背中シート部１０ａ、ペットＰの尻部分を覆う尻シート部１０ｂ、及び、ペットＰの腹部分を覆う腹シート部１０ｃを有する略矩形状のシート状に形成されている。そして、オムツ本体１０の適宜部位には、ギャザー１５が施されている。
【００２１】
このようなオムツ本体１０を具備するペット用オムツ１００は、尻シート部１０ｃをペットＰの尻に当てつつ、背中シート部１０ａと腹シート部１０ｃとを折返し、腹シート部１０ｃの左右両側に突設された貼着片１４によって、背中シート部１０ａに腹シート部１０ｃを固定してペットＰに装着されるものであり、所謂「折り返しタイプ」のペット用オムツ１００である。
【００２２】
なお、本例では、オムツ本体１０の外面が、防水性を有すると共に表面が毛羽立った外側シート１２によって構成されている。そして、上記貼着片１４の裏側には、外側シート１２の表面に貼着可能な面ファスナーの雄部材（図示省略）が設けられている。よって、このペット用オムツ１００では、オムツ本体１０の外側シート１２の表面において、所望の部位に貼着片１４を貼着させることができる。
【００２３】
また、オムツ本体１０の内面は、透水性を有すると共に表面が毛羽立った内側シート１１によって構成されており、内側シート１１と上記外側シート１２の間には、適宜部位に吸水パッド１３が埋設されている。
【００２４】
さらに、オムツ本体１０の内面には、吸水パッド１３の左右両側に沿って、装着した状態のペット用オムツ１００の内方に突出する突出片１６が延設されている。この突出片１６によって、ペットＰの尿や糞がペット用オムツ１００からこぼれ出ることが防止される。
【００２５】
また、オムツ本体１０の尻シート部１０ｂと背中シート部１０ａとの境界部分（尻シート部１０ｂと背中シート部１０ａとの境界は必ずしも明確である必要がない）には、ペットＰの尻尾を挿通させる尻尾孔１７が設けられている。ここで、本例では、尻尾孔１７が、オムツ本体１０に設けられたＵ字状のスリット（オムツ本体１０の表裏を貫通するスリット）によって構成されている。
【００２６】
ところで、オムツ本体１０をペットＰに装着すると、ペットＰの体毛によってオムツ本体１０の内面が滑り易く、装着したペット用オムツ１００がずれ易いのであるが、このペット用オムツ１００においては、オムツ本体１０の内面（より具体的には内側シート１１の表面）よりも表面が滑り難い滑り止めシート２０が、オムツ本体１０の内面に着脱自在に設けられており、滑り止めシート２０を取付けることによって、ペット用オムツ１００をずれ難くすることができる。
【００２７】
次に、滑り止めシート２０の詳細な構造について説明する。
【００２８】
滑り止めシート２１は、紙、不織布または織布といった多数の細かな隙間を有するシート状の素材にエラストマーを含浸させたシート材２１を用いて構成されている。
【００２９】
なお、本例では、シート状の素材として、紙を薄くすいた素材を採用しており、エラストマーとして、熱可塑性エラストマーを採用している。また、紙に含浸させた熱可塑性エラストマーを過熱発泡させることで、滑り止めシート２０としての柔軟性を高めると共に滑り止め機能を高めている。
【００３０】
シート材２１の裏面には、オムツ本体１０の内面を構成する内側シート１１の毛羽立った表面に貼着可能な面ファスナーの雄側部材２２が接着されており、滑り止めシート２０を、オムツ本体１０の内面において、所望の部位に取付けることができるようにしてある。また、面ファスナーの雄側部材２２によって滑り止めシート２０を取付けることから、滑り止めシート２０が不要な場合には、滑り止めシート２０を容易に取外すことができる。さらに、取外した滑り止めシート２０を、別のペット用オムツ１００のオムツ本体１０、繰り返し使用することもできる。
【００３１】
特に本例では、ペットＰの腰周りに周回される背中シート部１０ａ及び腹シート部１０ｃの各先端部分の内面が、表面が毛羽立った内側シート１１によって構成されており、上記各先端部分に滑り止めシート２０を必要に応じて取付けることができるようにしてある。背中シート部１０ａ及び腹シート部１０ｃの各先端部分の内面に滑り止めシート２０を取付けることで、ペット用オムツ１００がずれることを的確に抑制することができる。
【００３２】
また、背中シート部１０ａ及び腹シート部１０ｃの各先端部分には、ペットＰの腰周りを締付けるギャザー１５が設けられており、このギャザー１５上に滑り止めシート２０を取付けることができるようにしてある。ギャザー１５上に滑り止めシート２０を取付けることで、ギャザー１５が無用に延びることを防止することができ、この点からも、ペット用オムツ１００がずれることを的確に抑制することができる。
【００３３】
以上、本考案に係るペット用オムツの一例を示したが、本考案に係るペット用オムツは、上述の例に限らず、本考案の要旨を逸脱しない範囲で、適宜の変更が可能である。
【００３４】
例えば、上述の例では、折り返しタイプのペット用紙オムツとして本考案を適用した例を示したが、オムツ本体がパンツ形状となっているパンツタイプのペット用オムツとしても本考案を適用することができる。
【図面の簡単な説明】
【００３５】
【図１】本考案に係るペット用オムツをペットに装着した状態を示す斜視図である。
【図２】図１に示したペット用オムツの内側の展開図である。
【符号の説明】
【００３６】
Ｐ  ペット
１０  オムツ本体
１０ａ  背中シート部
１０ｂ  尻シート部
１０ｃ  腹シート部
１１  内側シート
１２  外側シート
１３  吸水パット
１４  貼着片
１５  ギャザー
１６  突出片
１７  尻尾孔
２０  滑り止めシート
２１  シート材
２２  面ファスナーの雄側部材
１００  ペット用オムツ
【図１】
0003147359.tif 000003
【図２】
0003147359.tif 000004